(57)【要約】  本発明は、電子装置が検索情報を表示する方法に関するもので、ディスプレイされたページに対するクエリーを伝送する段階；及び前記ページに含まれたコンテンツとマッチングされる検索情報を表示する段階を含み、前記クエリーを伝送する段階は、前記ページを実行するウェブラウザーの記録ログ、前記記録ログから抽出したデータ、前記ページから抽出したアップロード可能なデータ及び前記ページのスクリーンショットのうち少なくとも一つ以上を含んで前記クエリーを伝送する段階であることを特徴とする。
2018520429.tif 000002
【特許請求の範囲】
【請求項１】
電子装置が検索情報を表示する方法であって、
ディスプレイされたページに対するクエリーを伝送する段階；及び
前記ページに含まれたコンテンツとマッチングされる検索情報を表示する段階を含み、
前記クエリーを伝送する段階は、前記ウェブページを実行するウェブブラウザーの記録ログ、前記記録ログから抽出したデータ、前記ページから抽出したアップロード可能なデータ及び前記ページのスクリーンショットのうち少なくとも一つ以上を含んで前記クエリーを伝送する段階であることを特徴とする検索情報表示方法。
【請求項２】
前記クエリーを伝送する段階は、
前記ウェブブラウザーが実行されるか否かをあらかじめ設定された周期で確認する段階；
前記ウェブブラウザーが実行される場合、あらかじめ設定された周期で前記ウェブラウザーの記録ログを確認する段階；及び
前記記録ログが更新される場合、更新された記録ログを含んで前記クエリーを伝送する段階を含むことを特徴とする請求項１に記載の検索情報表示方法。
【請求項３】
電子装置で検索情報を表示する方法であって、
任意のページを表示する段階；
前記ページに含まれたコンテンツに対する検索が可能である場合、検索アイコンを前記ページに表示する段階；
前記アイコンに対する選択入力を受信すると、前記コンテンツとマッチングされる検索情報を表示する段階を含むことを特徴とする検索情報表示方法。
【請求項４】
前記検索アイコンを表示する段階は、
前記ページに含まれたイメージの個数、前記イメージ各々のサイズ、前記イメージ各々の形態、前記ページからテキストまたはイメージを抽出可能であるか否か、及び前記ページのＵＲＬ形態またはアドレスのうち少なくとも一つ以上を利用して前記ページに対するクエリーが可能であるか否かを判断する段階を含むことを特徴とする請求項３に記載の検索情報表示方法。
【請求項５】
電子装置が検索情報を表示する方法であって、
任意のページを表示した状態で、お知らせリストまたは共有メニューリストのうち少なくとも一つ以上に含まれる検索アイコンに対する選択入力を受信する段階；及び
前記ページに含まれたコンテンツとマッチングされる検索情報を表示する段階を含むことを特徴とする検索情報表示方法。
【請求項６】
電子装置で検索情報を表示する処理を実行する媒体に保存されたアプリケーションであって、
前記アプリケーションの商品検索機能が活性化されると、終了しないでバックグラウンドで実行される機能；
他のアプリケーションで表示した任意のページに対するクエリーを検索情報提供サーバーに伝送する機能；及び
前記ページとマッチングされる検索情報を表示する機能を実行し、
前記クエリーを伝送する機能は、前記ページを実行するウェブブラウザーの記録ログ、前記記録ログから抽出したデータ、前記ページから抽出したアップロード可能なデータ及び前記ページのスクリーンショットのうち少なくとも一つ以上を含んで前記クエリーを伝送するように具現されることを特徴とするアプリケーション。
【請求項７】
検索情報を表示する電子装置であって、
任意のページを表示する表示部；及び
前記ページに対するクエリーを検索情報提供サーバーに伝送し、前記ページとマッチングされる検索情報を表示するように制御する制御部を含み、
前記制御部は、前記ページを実行するウェブラウザーの記録ログ、前記記録ログから抽出したデータ、前記ページから抽出したアップロード可能なデータ及び前記ページのスクリーンショットのうち少なくとも一つ以上を含んで前記クエリーを伝送することを特徴とする電子装置。
【請求項８】
サーバーがクライアントに検索情報を提供する方法であって、
複数の商品に対するデータベースを生成し、前記データベースに含まれるイメージの特徴情報を抽出する段階；
前記クライアントからクエリーを受信する段階；
前記データベースイメージの特徴情報を検索して前記クエリーから獲得したクエリーイメージとマッチングされる商品またはサービスを判断する段階；及び
前記マッチング商品またはサービスに対する検索情報を前記クライアントに提供する段階を含み、
前記マッチングされる商品またはサービスを判断する段階は、
前記データベースイメージの特徴情報をあらかじめ設定された基準によって一つ以上の範疇に分類してインデクシングする段階；
前記クエリーからイメージを獲得し、クエリーイメージの特徴情報を抽出する段階；及び
前記データベースイメージのインデクシング情報を利用して前記クエリーイメージの特徴情報と前記データベースイメージの特徴情報のマッチングの可否を判断する段階を含むことを特徴とする検索情報提供方法。
【発明の詳細な説明】
【技術分野】
【０００１】
本発明は、電子装置で検索情報を提供する方法及び装置に関する。より詳しくは、本発明は、電子装置がコンテンツを表示している状態で別途の検索語の入力なしに関連した商品及び／またはサービスに対する検索を要請し、マッチングされるショッピング情報を獲得する方法及び装置に関する。
【背景技術】
【０００２】
最近、増加された有無線インターネット環境を背景としてオンラインを利用した広報、売買などの商取引が活性化されている。これと関連して、購買者は、インターネットと連結されたデスクトップＰＣやモバイル端末で雑誌、ブログまたはＹｏｕＴｕｂｅの動画などを検索するうち気に入る商品を見つけると、商品名などを検索して購買するようになる。有名女優が空港で持っていたカバンの名前、芸能プログラムに出た育児用品の名前がポータルサイトのリアルタイム検索語順位の上位に上がる場合がその例である。しかし、この時、ユーザは、検索のためのウェブページを別に開いて商品名と販売先などを検索しなければならないので、名前が分からないと、容易に検索できない不便さも発生する。
【０００３】
一方、販売者は、製品広報のために商業広告以外にもメディア協賛、オンラインカスタマーレビュー募集などに多い費用を支出する。最近には、オンライン上の口コミが製品販売に重要な変数として作用するためである。しかし、広報費用の支出にもかかわらず、商品名と販売先などのショッピング情報の公開が不可能な場合も頻繁である。商品名の露出に対する媒体視聴者の事前承認を個別的に受けることが不可能で間接広告イシューが発生できるからである。
【０００４】
このようにユーザと販売者は全てオンライン上の商品イメージに対してより直観的なＵＩ（Ｕｓｅｒ  Ｉｎｔｅｒｆａｃｅ）環境でショッピング情報の提供を希望するニーズが存在する。
【発明の概要】
【発明が解決しようとする課題】
【０００５】
本発明は、前記のような問題点を解決するためのものである。特に、本発明は、電子装置が任意のページを表示している状態で、前記ページに含まれたコンテンツに対する価格情報、オンライン販売サイト、広告、クーポン、プロモーション情報などのショッピング情報を効率的に提供可能な方法及び装置を提供することを目的とする。
【０００６】
また、本発明は、電子装置で表示されたコンテンツに対するショッピング情報の検索を要請するユーザインターフェースをより直観的で且つ多様なオプションで提供可能な方法及び装置を提供することを目的とする。
【課題を解決するための手段】
【０００７】
本発明の実施例による電子装置が検索情報を表示する方法は、ディスプレイされたページに対するクエリーを伝送する段階；及び前記ページに含まれたコンテンツとマッチングされる検索情報を表示する段階を含み、前記クエリーを伝送する段階は、前記ページがウェブページである場合、前記ウェブページを実行するウェブブラウザーの記録ログまたは該当記録ログから抽出したデータを含んで前記クエリーを伝送し、前記ページがウェブページではない場合、スクリーンショットまたはアップロード可能なデータを含んで前記クエリーを伝送する段階であることを特徴とする。
【０００８】
本発明の実施例による電子装置で検索情報を表示する方法は、任意のページを表示する段階；前記ページに含まれたコンテンツに対する検索が可能である場合、検索アイコンを前記ページに表示する段階；前記アイコンに対する選択入力を受信すると、前記コンテンツとマッチングされる検索情報を表示する段階を含むことを特徴とする。
【０００９】
一方、本発明の他の実施例による電子装置が検索情報を表示する方法は、任意のページを表示した状態で、お知らせリストまたは共有メニューリストのうち少なくとも一つ以上に含まれる検索アイコンに対する選択入力を受信する段階；及び前記ページに含まれたコンテンツとマッチングされる検索情報を表示する段階を含むことを特徴とする。
【００１０】
また、本発明の実施例による電子装置で検索情報を表示する処理を実行する媒体に保存されたアプリケーションは、前記アプリケーションの商品検索機能が活性化されると、終了しないでバックグラウンドで実行される機能；他のアプリケーションで表示した任意のページに対するクエリーを検索情報提供サーバーに伝送する機能；及び前記ページとマッチングされる検索情報を表示する機能を実行し、前記クエリーを伝送する機能は、前記ページがウェブページである場合、前記ウェブページを実行するウェブブラウザーの記録ログまたは該当記録ログから抽出したデータを含んで前記クエリーを伝送し、前記ページがウェブページではない場合、スクリーンショットまたはアップロード可能なデータを含んで前記クエリーを伝送するように具現されることを特徴とする。
【００１１】
また、本発明の実施例による検索情報を表示する電子装置は、任意のページを表示する表示部；及び前記ページに対するクエリーを検索情報提供サーバーに伝送し、前記ページとマッチングされる検索情報を表示するように制御する制御部を含み、前記制御部は、前記ページがウェブページである場合、前記ウェブページを実行するウェブブラウザーの記録ログまたは該当記録ログから抽出したデータを含んで前記クエリーを伝送し、前記ページがウェブページではない場合、スクリーンショットまたはアップロード可能なイメージデータを含んで前記クエリーを伝送することを特徴とする。
【００１２】
一方、本発明の実施例によるサーバーがクライアントに検索情報を提供する方法は、複数の商品に対するデータベースを生成し、前記データベースに含まれるイメージの特徴情報を抽出する段階；前記クライアントからクエリーを受信する段階；前記データベースイメージの特徴情報を検索して前記クエリーから獲得したクエリーイメージとマッチングされる商品またはサービスを判断する段階；及び前記マッチング商品またはサービスに対する検索情報を前記クライアントに提供する段階を含み、前記マッチングされる商品またはサービスを判断する段階は、前記データベースイメージの特徴情報をあらかじめ設定された基準によって一つ以上の範疇に分類してインデクシングする段階；前記クエリーからイメージを獲得し、クエリーイメージの特徴情報を抽出する段階；及び前記データベースイメージのインデクシング情報を利用して前記クエリーイメージの特徴情報と前記データベースイメージの特徴情報のマッチングの可否を判断する段階を含むことを特徴とする。
【発明の効果】
【００１３】
本発明によると、ユーザは電子装置の任意のコンテンツを閲覧しながら別途の検索ページを呼び出すかテキストを入力せずに、関連商品及び／またはサービスを検索して検索情報の提供が受けられる。したがって、購買者にはショッピングの便宜性が増加され、販売者には広告効果が高くなる効果がある。
【図面の簡単な説明】
【００１４】
図１は、本発明の実施例による電子装置で検索情報を表示する例示を説明するためのフローチャートである。
図２は、本発明の実施例による検索方法を説明するための図である。
図３は、本発明の実施例によって検索アイコンを表示するユーザインターフェースの例示を説明するための図である。
図４は、本発明の他の実施例による検索方法を説明するための図である。
図５は、本発明の他の実施例によって検索アイコンを表示するユーザインターフェースの例示を説明するための図である。
図６は、本発明の他の実施例による検索方法を説明するための図である。
図７は、本発明の実施例によるサービスサーバーで検索情報を提供する例示を説明するための図である。
【発明を実施するための形態】
【００１５】
本発明は、以下に記載される実施例の説明内容に限定されるものではなく、本発明の技術的要旨を脱しない範囲内で多様な変形が可能であることは自明である。そして、実施例の説明において、本発明が属する技術分野において広く知られており、本発明の技術的要旨と直接的に関連のない技術内容に対しては説明を省略する。
【００１６】
一方、添付図面において同一の構成要素は同一符号で表現される。また、添付図面において一部構成要素は、誇張したり省略したりまたは概略的に図示可能である。これは、本発明の要旨と関連のない不必要な説明を省略することで本発明の要旨を明確に説明するためである。以下、添付図面を参照して本発明の好ましい実施例を詳しく説明する。
【００１７】
図１は、本発明の実施例による電子装置で検索情報を表示する例示を説明するためのフローチャートである。
【００１８】
以下では、前記電子装置がモバイルデバイスである場合を前提として説明するが、本発明は、これに限定されない。すなわち、本発明で電子装置は、デスクトップＰＣ、スマートフォン、タブレットＰＣなど商品検索を要請して検索情報を表示し得る全ての形態の電子装置を含む概念で理解すべきである。
【００１９】
一方、ＩＴ業界で「バックグラウンド」という用語は、多様な意味で使用可能であるが、本明細書でのバックグラウンドの意味は、実行画面を表示せずにアプリケーションを駆動する状態を含むことで解釈できる。また、「フォアグラウンド（ｆｏｒｅｇｒｏｕｎｄ）」という用語は、実行画面が表示されながらアプリケーションが駆動する状態を含む概念で理解できる。
【００２０】
また、本明細書で「電子装置に表示されたページ（ｄｉｓｐｌａｙｅｄ  ｐａｇｅ ｉｎ  ａｎ  ｅｌｅｃｔｒｏｎｉｃ  ｄｅｖｉｃｅ）」という用語は、ユーザのスクロールに応じて画面に直ちに表示されるように電子装置にローディングされた画面及び／または前記画面内部のコンテンツなどを含む概念で理解できる。例えば、モバイルデバイスのディスプレイで、水平または垂直方向に長く延長されてユーザのスクロールによって表示されるアプリケーションの実行画面全体が前記ページの概念に含まれ得、カメラロール中の画面も前記ページの概念に含まれ得る。
【００２１】
図１の段階１１０で、電子装置は、本発明の実施例による情報検索プログラムを実行し得る。前記検索プログラムは、モバイルデバイスに設置されるアプリケーションまたはプラグイン、アクティブエックス、広告ＳＤＫ（モジュール、ＡＰＩ）などの形式であり得、デスクトップＰＣに設置されるソフトウェアまたはウェブブラウジングツールに設置されるエクステンションプログラムであり得る。
【００２２】
前記プログラムは、電子装置が本願発明の実施例によるサービスサーバー及び／またはアプリケーションオープンマーケットを通じてダウンロードし設置可能である。また、前記プログラムは、他のアプリケーション内に搭載された広告ＳＤＫ（ＡＰＩ、モジュール）形式で実行できる。
【００２３】
一方、段階１１０で、電子装置は、アプリケーション設置とともにユーザ認証及び保安のための処理を進行可能であり、サービスサーバーまたは別途のウェブサイトサーバーに情報を提供することに対するユーザ同意を提供する手続きも進行できる。
【００２４】
段階１２０で、電子装置は、アプリケーション実行画面の設定メニューを通じて少なくとも一つ以上の検索オプションを提供し得る。検索オプションは、検索方式を設定するためのものである。
【００２５】
本発明の実施例によると、検索オプションとして任意のコンテンツが電子装置に表示されると、別途のユーザ検索要請がなくても自動で関連商品及び／またはサービスに対する検索を進行する方式、表示されたコンテンツに対する検索が可能な場合にのみ検索アイコンを通じてユーザ検索要請を受信する方式、及び／または明示的なユーザの検索要請がある場合に限り商品検索を進行する方式などを考慮し得る。
【００２６】
特に、本発明の実施例による情報検索は、検索のためのアプリケーションを別に実行させるか、検索のためのページを別に開くかまたは追加的な検索語の入力を受信せずに進行できる。すなわち、本発明によると、検索のための別途のアクションなしに特定コンテンツが表示された状態で検索を進行し得る。本発明の実施例による多様な検索方式は添付された図面とともに後述する。
【００２７】
段階１３０で、任意の検索オプションが選択されると、本発明の実施例による情報検索アプリケーションは、検索を実行するためにバックグラウンドで駆動される。例えば、ユーザのアプリケーション終了命令が受信されても（段階１３５）、本発明の実施例によるアプリケーションは、完全に終了されずバックグラウンドで実行され得る（段階１４０）。これは、検索アプリケーションの実行、または検索ページの表示など検索のための別途アクションなしに検索を進行するためのものである。
【００２８】
一方、段階１３０で、どのような検索オプションも選択されないと、これはユーザが前記アプリケーションを利用した情報検索を希望しないことで解釈されて（段階１３２）、終了命令に従ってアプリケーションの実行は終了される（段階１３３）。
【００２９】
一方、段階１５０で、電子装置は、バックグラウンドで検索アプリケーションを実行すると同時にフォアグラウンドで多様な他のアプリケーションを実行し得る。この場合、フォアグラウンドアプリケーションの実行画面が単一またはマルチレイヤで表示され得る。
【００３０】
段階１５５で、電子装置は、任意のコンテンツを表示した状態で関連商品及び／またはサービスに対する情報検索を進行し得る。電子装置のリソースが十分である場合、直接マッチング商品及び／またはサービスを判断することができるが、そうではない場合、電子装置は情報検索を実行するサービスサーバーにクエリーを伝送する方式で検索を実行し得る。
【００３１】
例えば、ウェブページに対する検索要請がある場合（すなわち、ウェブブラウザーが実行されている状況で検索要請が受信される場合）、電子装置は、表示されたウェブページのＵＲＬ情報を検索要請クエリーで伝送するか、またはＵＲＬでテキスト、イメージ、動画データを抽出し、抽出されたデータをクエリーで伝送し得る。この時、ＵＲＬ情報の獲得が不可能であるか、ＵＲＬでテキスト、イメージ、動画データを抽出することが不可能である場合は、ウェブページのスクリーンショットを獲得してクエリーで伝送し得る。
【００３２】
本発明の他の実施例によると、ウェブブラウザー以外の他のアプリケーションが実行されている状態で検索要請が受信されると、電子装置はスクリーンショット及び／または該当ページでアップロード可能なデータを獲得して検索要請クエリーでサービスサーバーに伝送し得る。例えば、写真ビューアーアプリケーションが実行されている場合、電子装置はクエリーで写真ファイルを伝送し得る。また他の例で、動画再生アプリケーションが実行されている場合、電子装置はクエリーで特定時点のスクリーンショットを伝送し得る。
【００３３】
以後、段階１６０で、電子装置は、サービスサーバーからマッチング検索情報を受信し得る。例えば、サービスサーバーは、クエリーに含まれたイメージ、動画またはテキストを抽出してマッチング商品をデータベースで検索可能であり、関連ショッピング情報を提供し得る。サービスサーバーが商品のマッチング可否を判断する具体的な例示は、添付された図面とともに後述する。
【００３４】
一方、電子装置は、マッチングショッピング情報を受信すると、フォアグラウンドに転換してこれを表示し得る（段階１６５）。ショッピング情報には、マッチング商品／サービスの価格情報、最低価情報、最低価オンライン販売先、類似商品、クーポン及び／またはプロモーション情報を含み得る。また、前記ユーザの検索記録ログを利用して推薦可能な他の商品／サービスに対する情報も含まれ得る。
【００３５】
例えば、ユーザが花のイメージが含まれたウェブページを閲覧している場合、本発明の実施例によると、ショッピング情報で花配達広告リスト、生け花レッスンプロモーション情報及び／またはローズ祭りの割引クーポン情報が表示され得る。
【００３６】
また他の例で、ユーザが靴のイメージが含まれたＳＮＳを閲覧している場合、本発明の実施例によると、ショッピング情報で該当靴と同一なブランドの他の靴、同一または類似した色相、形態及び／または同一季節に着用する靴に対する推薦ショッピング情報が表示され得る。
【００３７】
また他の例で、ユーザが玩具のイメージが含まれた写真を閲覧している場合、本発明の実施例によると、ショッピング情報で玩具名、製造社、製造年月、最低価情報、価格変動情報、オンライン販売先、カスタマーレビュー、使用年齢及び／または使用方法などに対する情報が表示され得る。
【００３８】
また、前記情報は、テキスト、イメージ及び／またはアクションスクリプト形態で表示可能であり、これらは各々オンライン販売先と連結されていることができる。また、前記情報は、別途のページに表示されるかまたはユーザが閲覧したページに該当商品辺りにショッピング情報リンクを含むアイコンで表示されてもよい。
【００３９】
図２は、本発明の実施例による検索方法を説明するための図である。図２を説明するにおいて、上述した図１と重複される部分は省略するか簡単に説明する。
【００４０】
図２の実施例によると、ユーザの検索要請がある場合に検索を要請するクエリーが伝送される。前記実施例は、検索アプリケーションがバックグラウンドで実行されると、お知らせリスト及び／または共有メニューリストに検索アイコンが表示され、ユーザは、特定ページを閲覧するうち共有メニューの検索アイコンを選択して該当ページに含まれた商品のショッピング情報検索を要請する方式で具現され得る。
【００４１】
また、本発明の実施例によると、前記検索アイコンは、お知らせリスト及び／または共有メニューリストだけでなく、ユーザの検索要請が予想される一般的な場合に該当ページに生成されることができ、例示に限定されない。
例えば、ユーザの要請によってスクリーンショットを生成した場合、ユーザデバイスは、スクリーンショットの生成と同時に検索要請のためのアイコンをスクリーンショット画面に生成し得る。さらに、カメラアプリケーションが動作してイメージを生成した場合、イメージの生成と同時に前記イメージに含まれた客体の検索を要請するためのアイコンをイメージビューアー画面に生成できる。
また、ユーザデバイスは、設定に応じてスクリーンショットまたはカメラ生成イメージにあらかじめ設定された客体が検出される場合にのみ検索アイコンを生成してもよい。
より具体的に、段階２１０で、検索オプションで前記方式が設定された場合、アプリケーションは、バックグラウンドに転換されながら（段階２２０）、お知らせリスト、共有メニューリスト及び／または検索要請が予想されるページに検索アイコンが生成され得る（段階２３０）。
【００４２】
ユーザは、段階２４０で、電子装置のアプリケーションを実行しながら複数のページ、コンテンツ及び／またはアプリケーションを閲覧し得る。
【００４３】
ユーザが特定ページを閲覧しながら関連ショッピング情報の検索を希望する場合、段階２５０で、ユーザは、お知らせウィンドウを呼び出してお知らせリストに含まれた検索アイコンを選択するか、または共有メニューを呼び出して共有リストに含まれた検索アイコンを選択し得る。本発明の実施例によると、検索アイコンを含むお知らせウィンドウまたは共有メニューは、従来技術によって呼び出される。これは、ユーザに親しいＵＩを利用して商品検索の直観性を高めるためことである。
本発明の他の実施例によると、ユーザがスクリーンショットを生成した場合、スクリーンショットの生成と同時に検索アイコンが表示されるか、カメラアプリケーションを通じてイメージを生成した場合、イメージビューアー画面に検索アイコンが表示され得る。検索アイコンが表示される具体的なユーザインターフェースに対する説明は、添付図面とともに後述される。
【００４４】
電子装置は、フォアグラウンドで実行するアプリケーションがウェブブラウザーである場合（段階２６０）、ウェブブラウザーの記録ログを含むクエリーをサービスサーバーに伝送し得る（段階２７０）。前記記録ログには、ウェブブラウザーのブラウジング実行ヒストリーが含まれ得、特に、一番最近に実行したウェブページのＵＲＬ情報、すなわちユーザが検索アイコンを選択する直前に閲覧したウェブページのＵＲＬ情報をクエリーで伝送し得る。
【００４５】
一方、段階２７０で、電子装置は、ウェブページのＵＲＬに含まれたイメージ、動画、テキストデータを抽出し、抽出したデータをクエリーで伝送してもよい。また、ＵＲＬ、テキスト、イメージまたは動画データの抽出が不可能である場合、スクリーンショットを抽出してクエリーで伝送し得る。
【００４６】
本発明の他の実施例によると、電子装置は、フォアグラウンドで実行するアプリケーションが写真ビューアーである場合（段階２６２）、写真ビューアーが実行しているイメージファイルを含んでクエリーを伝送し得る（段階２７５）。または電子装置は、フォアグラウンドアプリケーションのスクリーンショットを抽出してこれをクエリーで伝送してもよい（段階２６８）。
【００４７】
例えば、大型マートでショッピング中のユーザが陳列されている電話機のオンライン最低価が分かりたい場合、ユーザは電子装置のカメラアプリケーションを利用して電話機の写真を撮影し、写真を表示した状態でお知らせウィンドウを呼び出して商品検索アイコンを選択し得る。この場合、電子装置は、電話機写真ファイルをクエリーでサービスサーバーに伝送し得る。
【００４８】
以後、クエリーに対する応答として、マッチング客体に対するショッピング情報をサービスサーバーから受信した場合、段階２８０で、電子装置は、ショッピング情報検索アプリケーションをフォアグラウンドに切り替え、段階２９０で、ショッピング情報を表示し得る。
【００４９】
図３は、本発明の実施例によって検索アイコンを表示するユーザインターフェースの例示を説明するための図である。
【００５０】
図３の（ａ）は、お知らせウィンドウのお知らせリストに本願発明の実施例による検索アイコン３１０が表示される例示である。
【００５１】
例えば、ユーザは、任意のページを閲覧している状態で、ディスプレイの上段エッジから始めるドラッグを入力して、図３の（ａ）に示したようなお知らせウィンドウを呼び出すことができ、お知らせリストに表示された検索アイコン３１０を選択する方式で閲覧しているページに対する検索を要請し得る。
【００５２】
図３の（ｂ）は、共有リストに本願発明の実施例による検索アイコン３２０が表示される例示である。
【００５３】
例えば、ユーザは、任意のページを閲覧している状態で共有メニューを選択して、図３の（ｂ）に示したような共有リストを呼び出すことができ、共有リストに表示された検索アイコンを選択する方式で閲覧しているページの検索を要請し得る。
【００５４】
図４は、本発明の他の実施例による検索方法を説明するための図である。図４の説明において、上述した図２と重複される部分は省略するか簡単に説明する。
【００５５】
図４で、電子装置は、特定ページに対する検索が可能であるか否かを先に判断し、検索可能な場合にのみ検索アイコンを表示し得る。前記実施例によると、商品検索が可能である場合、この事実をユーザに検索アイコンなどを利用して知らせて、ユーザがアイコンを選択するときのみクエリーを伝送することで、クエリーを伝送して処理するに必要となるリソースが軽減される効果がある。
【００５６】
検索オプションで前記方式が設定された場合（段階４０５）、検索アプリケーションは、バックグラウンドに転換され（段階４１０）、ユーザは、段階４２０で、他のアプリケーションを実行しながら多くのページを閲覧し得る。
【００５７】
本発明の実施例によると、ページに対する検索が可能な場合にのみ検索アイコンが表示される（段階４４０、４５０）。例えば、電子装置は、表示したページに含まれたイメージの個数、前記イメージ各々のサイズ、前記イメージ各々の形態、前記ページのテキスト、イメージの抽出可能可否及び／またはＵＲＬの形態、アドレスなどを利用して前記ページに含まれたコンテンツに対する検索が可能であるか否かを判断し、可能である場合にのみ検索アイコンを該当ページに表示し得る。
【００５８】
検索アイコンを表示する具体的なユーザインターフェースに対する説明は添付図面とともに後述される。
【００５９】
ユーザが表示された検索アイコンを選択すると、該当ページに対するクエリーが伝送される（段階４６０、４７０）。また、クエリーに対する応答としてマッチングショッピング情報を受信すると、商品検索アプリケーションはフォアグラウンドに転換されて受信したマッチングショッピング情報を表示し得る（段階４８０、４９０）。段階４７０〜段階４９０は、上述した図２の段階２６０〜段階２９０と実質的に同一であるので簡略に説明する。
【００６０】
一方、前記実施例では、ページに含まれた商品に対する検索が可能であるか否かを確認する手続きが必須的である。前記手続きに必要となるリソースを節減するために、電子装置はウェブブラウザーの実行可否を周期的に確認して、ウェブブラウザーが実行されている場合、ウェブブラウザーの記録ログを周期的に確認し、ウェブブラウザーが更新される場合にのみ検索可能可否を確認し得る（段階４２５）。
【００６１】
より具体的に、本発明の実施例による検索アプリケーションは、バックグラウンドでウェブブラウザーの実行可否を周期的に確認し、ウェブブラウザーが実行中である場合、ウェブブラウザーの記録ログを周期的に確認し得る。このような方式で全てのウェブページに対して検索可能可否を確認せず、ウェブブラウザーが更新される場合にのみ検索可能可否を確認し得る。
【００６２】
図５は、図４で説明した検索方式に従って検索アイコンを表示するユーザインターフェースの例示を説明するための図である。
【００６３】
図５の（ａ）に示したように、本発明の実施例によると、任意のページに多い商品が表示されていても該当ページの形式が商品検索に適合しないと、検索アイコンは表示されない。
【００６４】
しかし、図５の（ａ）で、ユーザが特定客体を選択して、図５の（ｂ）のような該当商品詳細説明ページが表示されると、該当ページの形式が検索に適合した場合、検索アイコン５１０が表示され得る。
【００６５】
このような方式によると、ユーザの立場では、閲覧中であったページで検索アイコンが表示されると、該当商品に対する検索が可能であなことで認識でき、また、検索アイコンを選択するだけで、直ちにショッピング情報が表示されるので、前記アイコンはショッピング情報ページの呼び出しのためのリンクで認識されることもある。
【００６６】
図６は、本発明の他の実施例による検索方法を説明するための図である。図６の説明において、上述した図２〜図４と重複される部分は省略するか簡単に説明する。
【００６７】
図６の検索方法によると、検索を要請するどのような形態のユーザ入力なしに、表示されたページに対するショッピング情報の検索のためのクエリーが自動に伝送され得る。
【００６８】
検索オプションで前記方式が設定された場合（段階６１０）、検索アプリケーションは、バックグラウンドに転換され（段階６２０）、ユーザは、段階６３０で、他のアプリケーションを実行しながら多くのページを閲覧し得る。
【００６９】
例えば、フォアグラウンドで実行されるアプリケーションがウェブブラウザーである場合、ウェブページに対するＵＲＬがクエリーで伝送され（段階６５０）、サービスサーバーは、該当ＵＲＬで提供するデータを利用してマッチング商品及び／またはサービスを判断し得る。
【００７０】
この時、サービスサーバーがショッピング情報を提供する場合、段階６６０で、検索アプリケーションは、フォアグラウンドに転換され、段階６７０で、ショッピング情報が表示され得る。この時、サービスサーバーからショッピング情報を受信した場合であっても、ユーザがショッピング情報の表示を希望する場合にのみこれを表示するように設定し得る。段階６５０〜段階６７０は、上述した図２の段階２６０〜段階２９０と実質的に同一であるので簡略に説明する。
【００７１】
一方、前記実施例では、自動でクエリーが伝送されるので、ウェブブラウザーが更新される場合にのみクエリーを伝送するように設定し得る。
【００７２】
より具体的に、本発明の実施例による検索アプリケーションは、バックグラウンドでウェブブラウザーの実行可否を周期的に確認し、ウェブブラウザーが実行中である場合、ウェブブラウザーの記録ログを周期的に確認し得る（段階６４０）。
【００７３】
このような方式で全てのウェブページに対して検索可能可否を確認せずにウェブブラウザーが更新される場合にのみクエリーを伝送し得る（段階６５０）。また、クエリーに対する応答としてマッチングショッピング情報を受信してこれを表示する場合（段階６７０）、ブラウザー記録ログが変更されるかクエリーを伝送したウェブページから以前ページに移動すると、マッチングショッピング情報の表示は中断され得る。
【００７４】
図７は、本発明の実施例によるサービスサーバーで検索情報を提供する例示を説明するための図である。
【００７５】
段階７１０で、ショッピング情報提供サーバーは、ショッピング情報データベースを構築し得る。前記ショッピング情報には、商品名、多様な角度とサイズの商品イメージ、使用方法、カスタマーレビュー、製造社、販売先、、価格情報、広告情報、クーポン情報及び／またはプロモーション情報などが含まれ得、類似商品とユーザの記録ログを利用したおすすめ商品との連結も含まれ得る。このようなショッピング情報を多様な経路で収集してデータベースを設計及び保存する方式は従来技術により実行できる。
【００７６】
また、サービスサーバーは、データベースに保存された商品イメージの特徴情報を生成してデータベースで構築し得る。例えば、サービスサーバーは、商品イメージの特徴領域を抽出し、特徴記述子を計算し、検索の効率性のためにイメージの特徴情報を少なくとも一つ以上の範疇に対してインデクシング（ｉｎｄｅｘｉｎｇ)できる。
【００７７】
段階７２０で、サービスサーバーは、電子装置からクエリーを受信し、段階７３０で、クエリーに含まれたデータを変換し得る。
【００７８】
例えば、クエリーにＵＲＬ情報が含まれている場合、サービスサーバーは、前記ＵＲＬで提供するイメージ、動画及び／またはテキストデータを抽出して商品に対することのみ選別し得る。
【００７９】
または、クエリーにイメージデータが含まれている場合、サービスサーバーは、クエリーイメージからイメージの固有値（ハッシュ情報、ヘッダー情報など）を抽出するか及び／またはイメージの特徴情報を抽出してイメージ検索に適合した形態で加工し得る。例えば、サービスサーバーは、データベースイメージの特徴記述子をインデクシングしたことと同一な基準で、クエリーイメージの特徴記述子を変換し得る。これは、以後の検索処理を迅速で効率的に実行するためのことである。
【００８０】
以後、段階７４０で、サービスサーバーは、クエリーデータとデータベースに含まれた商品及び／またはサービスとのマッチング可否を判断し得る。
【００８１】
例えば、サービスサーバーは、データベースイメージの特徴記述子の集合を検索して、データベースイメージの特徴記述子ベクター値とクエリーイメージの特徴記述子ベクター値の間の距離があらかじめ設定された臨界値以内であるか否かを判断し得る。また、イメージの特徴領域または特徴記述子の位置情報、スケール、回転程度及び分布情報など特徴情報の属性を利用してクエリーイメージとデータベースイメージの一致程度を判断し（Ｇｅｏｍｅｔｒｉｃ  Ｃｏｎｓｉｓｔｅｎｃｙ）、一致程度があらかじめ設定された臨界値を上回るか否かを判断してマッチング商品及び／サービスを検索し得る。以後、段階７５０で、サービスサーバーは、マッチング商品及び／またはサービスに対するショッピング情報を提供し得る。
【００８２】
本明細書と図面に開示された本発明の実施例は、本明の技術内容を容易に説明して本発明の理解を助けるために特定例を提示したものに過ぎず、本発明の範囲を限定するものではない。ここで、開示された実施例以外にも本発明の技術的思想を土台として他の変形例が実施可能であることは、本発明が属する技術分野において通常の知識を有した者に自明である。
【図１】
2018520429.tif 000003
【図２】
2018520429.tif 000004
【図３Ａ】
2018520429.tif 000005
【図３Ｂ】
2018520429.tif 000006
【図４】
2018520429.tif 000007
【図５Ａ】
2018520429.tif 000008
【図５Ｂ】
2018520429.tif 000009
【図６】
2018520429.tif 000010
【図７】
2018520429.tif 000011
【手続補正書】
【提出日】平成29年12月26日(2017.12.26)
【手続補正１】
【補正対象書類名】特許請求の範囲
【補正対象項目名】全文
【補正方法】変更
【補正の内容】
【特許請求の範囲】
【請求項１】
電子装置が検索情報を表示する方法であって、
ディスプレイされたページに対するクエリーを伝送するＡ段階；及び
前記ページに含まれたコンテンツとマッチングされる検索情報を表示するＢ段階を含み、
前記Ａ段階は、任意のページを表示した状態で、検索アイコンを表示する段階；及び
前記アイコンに対する選択入力を受信すると、前記ページに含まれたコンテンツに対する前記クエリーを前記ウェブページを実行するウェブブラウザーの記録ログ、前記記録ログから抽出したデータ、前記ページから抽出したアップロード可能なデータ及び前記ページのスクリーンショットのうち少なくとも一つ以上を含んで伝送する段階であることを特徴とする検索情報表示方法。
【請求項２】
前記Ａ段階は、
前記ウェブブラウザーが実行されるか否かをあらかじめ設定された周期で確認する段階；
前記ウェブブラウザーが実行される場合、あらかじめ設定された周期で前記ウェブラウザーの記録ログを確認する段階；及び
前記記録ログが更新される場合、更新された記録ログを含んで前記クエリーを伝送する段階を含むことを特徴とする請求項１に記載の検索情報表示方法。
【請求項３】
前記Ｂ段階は、
任意のページを表示する段階；
前記ページに含まれたコンテンツに対する検索が可能である場合、検索アイコンを前記ページに表示する段階；及び
前記アイコンに対する選択入力を受信すると、前記検索可能なコンテンツに対するクエリーを伝送する段階を含むことを特徴とする請求項１に記載の検索情報表示方法。
【請求項４】
前記検索アイコンを表示する段階は、
前記ページに含まれたイメージの個数、前記イメージ各々のサイズ、前記イメージ各々の形態、前記ページからテキストまたはイメージを抽出可能であるか否か、及び前記ページのＵＲＬ形態またはアドレスのうち少なくとも一つ以上を利用して前記ページに対するクエリーが可能であるか否かを判断する段階を含むことを特徴とする請求項３に記載の検索情報表示方法。
【請求項５】
電子装置が検索情報を表示する方法であって、
任意のページを表示した状態で、検索アイコンを表示する段階；
前記アイコンに対する選択入力を受信すると、前記ページに含まれたコンテンツに対するクエリーを伝送する段階；及び
前記ページに含まれたコンテンツとマッチングされる検索情報を表示する段階を含むことを特徴とする検索情報表示方法。
【請求項６】
電子装置で検索情報を表示する処理を実行する媒体に保存されたアプリケーションであって、
ディスプレイされたページに対するクエリーを伝送するＡ機能；及び
前記ページに含まれたコンテンツとマッチングされる検索情報を表示するＢ機能を実行し、
前記Ａ機能は、
任意のページを表示した状態で、検索アイコンを表示する機能；及び
前記アイコンに対する選択入力を受信すると、前記ページに含まれたコンテンツに対する前記クエリーを前記ページを実行するウェブブラウザーの記録ログ、前記記録ログから抽出したデータ、前記ページから抽出したアップロード可能なデータ及び前記ページのスクリーンショットのうち少なくとも一つ以上を含んで伝送する機能であることを特徴とするアプリケーション。
【請求項７】
検索情報を表示する電子装置であって、
任意のページを表示する表示部；及び
前記ページに対するクエリーを検索情報提供サーバーに伝送し、前記ページとマッチングされる検索情報を表示するように制御する制御部を含み、
前記制御部は、前記ページを表示した状態で、検索アイコンを表示し、前記アイコンに対する選択入力を受信すると、前記ページに含まれたコンテンツに対するクエリーを前記ページを実行するウェブラウザーの記録ログ、前記記録ログから抽出したデータ、前記ページから抽出したアップロード可能なデータ及び前記ページのスクリーンショットのうち少なくとも一つ以上を含んで伝送するように制御することを特徴とする電子装置。
【国際調査報告】
2018520429.tif 000012
2018520429.tif 000013
2018520429.tif 000014
2018520429.tif 000015
2018520429.tif 000016
2018520429.tif 000017
2018520429.tif 000018
2018520429.tif 000019
2018520429.tif 000020
2018520429.tif 000021